(57)【要約】【課題】従来、使用していないホイストのロードブロックの停止位置を、操作する人の目視や感覚に頼らなければならなかった。本発明は、ホイストの操作性、作業性及び安全性の向上を計る。【解決手段】補巻付ホイストは、どちらか片方だけの操作（同時操作不可）であり、片方のロードブロックＡ（又はＢ）が任意の位置Ａ２（又はＢ２）にあるとき、操作中のロードブロック又は吊荷が任意の位置にあるロードブロックにＡ２（又はＢ２）干渉する、更に片方のロードブロックを上限Ａ０（又はＢ０）にすると、巻過防止装置を不必要にＯＮ、ＯＦＦすることがあるため、操作回路へ補助リミットスイッチ１０（及び１１）を追加し、ロードブロックの上限停止位置を、巻過防止装置の停止位置Ａ０（又はＢ０）より下の位置Ａ１（又はＢ１）に停止するようにして上記課題を解決する。【選択図】  図３
2004359357.tif 000002
【特許請求の範囲】
【請求項１】
ホイストへ巻き込まれたワイヤロープを介して上昇、下降するロードブロックを有する補巻付ホイスト（主巻ホイストと補巻ホイストからなる）において、ロードブロック巻過防止装置の下方で、相手ホイスト（両方のホイスト）の操作回路を遮断する補助リミットスイチを設けたことを特徴とする補巻付ホイスト用制御装置。
【請求項２】
上記請求項１の補巻付ホイストにおいて、ロードブロックの移動範囲が上限〜下限に対し、操作中のホイストは下限方向にて使用時、操作中ホイストのロードブロックの上限位置を操作していないホイストのロードブロック位置より、下方で停止させるための中段リミットスイッチを設けたことを特徴とする補巻付ホイスト用制御装置。
【発明の詳細な説明】
【０００１】
【発明の属する技術分野】
本発明は、補巻付ホイストにおける主巻ホイスト、及び補巻ホイスト用ロードブロックの停止位置を補助リミットスイッチにより制御する補巻付ホイストのロードブロック位置制御装置に関するものである。
【０００２】
【従来の技術】
図２および図５に示す如く、主巻ホイスト１へワイヤロープ２により、巻下げられたロードブロックＡは押ボタン２０（又は２７）を操作する事により、ロードブロックは上限位置Ａ０〜下限位置Ａ３の間を移動する。
【０００３】
もう一方の補巻ホイスト３へワイヤロープ４により巻下げられたロードブロックＢは、押ボタン３０（又は３７）を操作する事により上限位置Ｂ０〜下限位置まで移動することが出来るが、この場合、操作していないロードブロックＡ（又はＢ）が、上限位置Ａ０（又はＢ０）〜下限Ａ３の任意の位置Ａ２（又はＢ２）にあっても片方のホイストが操作できるため、移動中のロードブロック又は吊荷が、任意の位置で停止しているロードブロックＡ２（又はＢ２）に干渉するため，目視又はホイストの操作により意識的に任意の位置のロードブロックＡ２（又はＢ２）を上限位置Ａ１（又はＢ１）まで移動させなければならなかった。
【０００４】
更に、この場合巻過防止装置により停止させた上限位置ロードブロックＡ０（又はＢ０）はホイスト運転中に揺られ、巻過防止装置が不必要にＯＮ，ＯＦＦさせられることある。
【０００５】
尚、この種の装置として関連するものには、下記の特許文献１を挙げることができる。
【０００６】
【特許文献１】
特開昭５７−８５７９３号公報
【０００７】
【発明が解決しようとする課題】
上記従来技術は、操作していないロードブロックが任意の位置Ａ２（又はＢ２）にあっても片方のホイストが操作出来るため、移動中のロードブロック（又は吊荷）が干渉する可能性があるためホイストの操作に注意する必要があった。
【０００８】
更に、上限ロードブロック位置Ａ０（又はＢ０）の場合、巻過防止装置が不必要にＯＮ，ＯＦＦした。
【０００９】
本発明の目的は片方を操作時、もう一方のホイストのロードブロックを巻過防止装置の停止位置Ａ０（又はＢ０）より下の位置、上限位置Ａ１（又はＢ１）の停止位置に停止させることにある。
【００１０】
【課題を解決するための手段】
図１、図３に示す如く、どちらか片方のロードブロックＡ（又はＢ）が上限位置Ａ１（又はＢ１）にないと、もう片方のホイストの操作（ロードブロックの移動）が出来ない回路としたことにある。
【００１１】
【発明の実施の形態】
（実施例１）
本発明の実施例を図１、図３により説明する。
【００１２】
図３に示す補巻付の操作回路へ補助リミットスイッチ１０及び１１を追加し、ロードブロックＡ、Ｂが上限位置Ａ１、Ｂ１が巻過防止装置の停止位置Ａ０（又はＢ０）より下の位置にあるときは、補助リミットスイッチ１０（及び１１）はｂ接点状態であり、主巻ホイストは１又は補巻ホイスト３の、どちらか片方（早く操作した方）を操作すると、相手側の補助リミットスイッチ１０（又は１１）を開路（遮断）し、片方のみが操作出来る回路となっており、図１に示すロードブロックＡ（又はＢ）は常時片方が上限位置Ａ１（又はＢ１）に位置することが出来るので、操作中のロードブロック（又は吊荷）が停止中のロードブロック位置Ａ２（又はＢ２）に干渉する事がなく作業性及び安全性の向上が計れる。
【００１３】
更に、巻過防止装置の停止位置Ａ０（又はＢ０）より下の位置でロードブロックＡ１（又はＢ１）を停止させるので巻過防止装置を不必要にＯＮ，ＯＦＦすることがなくなる。
（実施例２）
本発明の実施例を図２、図４により説明する。
【００１４】
図４に示す補巻付の操作回路へ補助リミットスイッチ１０（及び１１）と中段リミットスイッチ１２（及び１３）を並列回路に配置させる事により、実施例１の機能の他に、片方のロードブロックが任意の位置Ａ２（又はＢ２）に停止している場合でも、中段リミットスイッチ１２（又は１３）を任意の位置で停止しているロードブロック位置Ａ２（又はＢ２）の下方で停止する様に設定する事により，現在操作しているホイストの作業が完了し、次に操作していないホイストを使用する場合、ロードブロックＡ（又はＢ）を下限位置まで巻下げるのに対し、ロードブロックを任意の位置Ａ２（又はＢ２）が巻下げるため短時間で巻下げ可能となり、実施例１の他に作業効率の向上が得られる。
【００１５】
【発明の効果】
本発明によれば、お互いのロードブロックＡ（又はＢ）が上限位置になる回路となっているので目視確認が不要になり，操作する人の操作性及び安全性の向上が計れる。
【００１６】
移動中のロードブロック又は吊荷の干渉を防止出来る。
【図面の簡単な説明】
【図１】本発明による補巻付ホイストの動作説明図である。
【図２】本発明及び従来技術による補巻付ホイストの動作説明図である。
【図３】本発明による電気回路図である。
【図４】本発明による電気回路図（中段リミットスイッチを設けた）である。
【図５】従来技術による電気回路図である。
【符号の説明】
１…主巻ホイスト、２…ワイヤロープ、３…補巻ホイスト、４…ワイヤロープ、１０…補助リミットスイッチ、１１…補助リミットスイッチ、１２…中段リミットスイッチ、１３…中段リミットスイッチ、１９…押ボタン、２０…主上押ボタン、２１…主下電磁接触機ｂ接点、２２…巻過防止装置、２３…サーマルプロテクタ、２４…主上電磁接触機、２５…補上電磁接触機ｂ接点、２６…補下電磁接触機ｂ接点、２７…主下押ボタン、２８…主上電磁接触機ｂ接点、２９…主下電磁接触機、３０…補上押ボタン、３１…補下電磁接触機ｂ接点、３２…巻過防止装置、３３…サーマルプロテクタ、３４…補上電磁接触機、３５…主上電磁接触機ｂ接点、３６…主下電磁接触機ｂ接点、３７…補下押ボタン、３８…補上電磁接触機ｂ接点、３９…補下電磁接触機、Ａ…ロードブロック、Ａ０…上限ロードブロック位置、Ａ１…上限位置ロードブロック、Ａ２…任意の位置ロードブロック、Ａ３…下限ロードブロック位置、Ｂ…ロードブロック、Ｂ０…上限ロードブロック位置、Ｂ１…上限位置ロードブロック、Ｂ２…任意の位置ロードブロック。
【図１】
2004359357.tif 000003
【図２】
2004359357.tif 000004
【図３】
2004359357.tif 000005
【図４】
2004359357.tif 000006
【図５】
2004359357.tif 000007